(57)【要約】【課題】  従来のゴルフバッグが備えていなかった、物品の収容に適した構造を有する収納部を備えたゴルフバックを提供する。【解決手段】  ゴルフバッグＧＢのハンドル３の略直下に配置される小型物品用の収納部８を有するゴルフバッグＧＢにおいて、前記収納部８の内部を形成する柔軟な布材による奥行き正面壁（以下、奥壁８ｄという。）の裏側に、前記ハンドル３の下端部３ｂに支持させた硬質の裏打ちシート８ｅを当てがい、前記裏打ちシート８ｅと前記奥壁８ｄを一体化して裏打ち収納部８に形成した。【選択図】  図２
0003220905.tif 000002
【実用新案登録請求の範囲】
【請求項１】
ハンドルの略直下に配置される小型物品用で略逆Ｕ字状の蓋材を備えた収納部を有するゴルフバッグにおいて、前記収納部の内部を形成する布材等の柔軟な壁材による奥行き正面壁（以下、奥壁という。）の裏側に、前記ハンドルの下端部に支持させた硬質の裏打ちシートを当てがい、前記裏打ちシートと前記奥壁を一体化して裏打ち収納部に形成したことを特徴とするゴルフバッグ。
【請求項２】
請求項１のゴルフバッグにおいて、正面側の左右に設けられている収納部の外側に、大型の収納部をその底部をメッシュ地で形成して設け、当該大型の収納部に収容した物品に付着している水分や土粒を前記底部から排出するようにしたゴルフバッグ。
【請求項３】
請求項１又は２のゴルフバッグにおいて、前記裏打ち収納部の下方に配置した財布等の貴重品の収容に適した貴重品等の収納部に略逆Ｕ字状の蓋材を設け、この蓋材を開閉するラインファスナを、上下スイング式で開閉されるフラップによって上面から覆うことにより、前記ラインファスナのスライダをフラップで隠すようにしたゴルフバッグ。
【請求項４】
請求項３のゴルフバッグにおいて、フラップは磁石式スナップボタンによって蓋材に着脱するようにしたゴルフバッグ。
【請求項５】
請求項１〜４のいずれかのゴルフバッグにおいて、略逆Ｕ字状の蓋材を備える収納部では、蓋材の下半側と開口部の下半側の間にメッシュ地のマチ部を設けたゴルフバッグ。
【考案の詳細な説明】
【技術分野】
【０００１】
本考案はゴルフクラブ以外のゴルフをする際に所持している様々な物品を、夫々の物品の形態や性状などに応じて適切に収容、保管することができるように収納部に工夫を施したゴルフバッグに関する。
【背景技術】
【０００２】
収容する物品に対する工夫を施したゴルフバッグとしては、特許文献１に記載されているようなゴルフバッグが知られている。
このゴルフバッグは、ハンドルの下端部とショルダーベルトの末端部の留め環の間に、眼鏡や携帯電話等の小型物品専用の収納部を設けた点と、前記ハンドル脇の収納部を、その内張を柔軟断熱シートで形成することにより断熱性の収納部とした点が従来品に対する改良点として高く評価されている。
【０００３】
ところで、ゴルフではプレイをする季節や天候などの外的要因によって、手袋、靴下、下着、防寒衣、雨衣、各種タオル、キャップ、サングラスなど様々な物品がゴルフバッグの収納部に収容される。
【０００４】
従来のゴルフバッグにおけるクラブ以外の収納部は、一般的には、ゴルフバッグの正面側では、ハンドルの下方、該ハンドルを挟む左右側の３箇所、ゴルフバッグの背面側では、背面とその左右側の３箇所であるから、１個のゴルフバッグについて６箇所の収納部である。
【０００５】
しかし、６箇所の収納部があっても、ゴルフプレーの際に所持している上記の衣類を始めとする様々な物品を整理して納めることができないことがある。特に、雨中のプレーでは、漏れた着衣と乾いた着衣のように濡れたものと乾いたものを分別して収容する必要があるが、濡れた衣類は水を吸って膨らみ嵩張るため、着替える枚数が多いと６箇所では間に合わない。
【０００６】
また、財布などの貴重品はプレー中には出入れすることがないため、厳重な収容状態で保持できることが望ましいが、現状の収納部では十分ではない。
【０００７】
さらに、携帯電話機や眼鏡等はプレー中でも出し入れすることがあるため、収容した物品の出入れが行い易い収納部であることが好ましい。しかし、従来の携帯電話等の小型物品を収容する小型の収納部は、収容物品の重量で収納部の内部が変形し、収容した携帯電話等が収納部の内奥に沈み込んでしまい取出し難くなるという問題が指摘されている。
【先行技術文献】
【特許文献】
【０００８】
【特許文献１】実用新案登録第３１９５２９９号公報
【考案の概要】
【考案が解決しようとする課題】
【０００９】
そこで本考案は、従来のゴルフバッグが備えていなかった、様々な物品の収容に適した構造を有する収納部を備えたゴルフバックを提供することを課題とする。
【課題を解決するための手段】
【００１０】
上記課題を解決することを目的としてなされた本考案ゴルフバッグの構成は、ゴルフバッグのハンドルの略直下に配置される収納部において、当該収納部の内部を形成する布材やビニル等の柔軟な壁材による内部の正面壁（以下、奥壁という。）の裏側に、前記ハンドルの下端に支持させた硬質の裏打ちシートを当てがい前記奥壁と一体化し、裏打ち収納部に形成したことを特徴とする。
【００１１】
前記硬質の裏打ちシートが奥壁の裏面に当てがわれて当該奥壁と一体化した裏打ち収納部は、裏面に当てがわれた硬質の裏打ちシートの作用で当該収納部が略箱状に保形されるから、重量のある携帯電話等を収容しても収納部が殆んど変形しない。このためプレー中に出入れすることが多い携帯電話や眼鏡等のための収納部として好適である。
【００１２】
本考案ゴルフバッグでは、正面側の左右に配置されている収納部のさらに外側に大型の収納部を増設し、その底部をメッシュ地で形成することにより、収容する物品に付着している水滴や土粒の排出、水分の蒸発を促進するようにしている。
【００１３】
また、本考案ゴルフバッグにおいては、前記裏打ち収納部の下方に形成する財布等の貴重品の収容に適した収納部（以下、貴重品等の収納部という。）に対し、前壁にラインファスナを介して配置された略逆Ｕ字状の蓋材を、上下スイング式に開閉されるフラップによって上面から覆うことにより、前記ラインファスナのスライダを隠したから、収容した貴重品等を取出すのに手間がかかり、盗難防止効果が高い。
【００１４】
本考案における前記裏打ち収納部と貴重品等の収納部は、これらの収納部を形成する略逆Ｕ字状の舌片体による前壁部（以下、蓋材ともいう。）が手前に倒れて開放される形式の収納部であるから、前記蓋材の外周縁と本体側の間に２スライダのラインファスナが配置される構造である。
【００１５】
前記収納部の蓋材の設置形態であると、ラインファスナが全開されると蓋材が垂れ下がるか、或は床に着いて９０度開いてしまい、閉じる際にスライダが操作し難くかったり、収容物品が脇から脱落しやすいという問題がある。
【００１６】
本考案では、この問題の解決のため、前記裏打ち収納部と貴重品等の収納部における蓋材の左右の下半側と開口部の下半側の間に逆略三角形状のメッシュ地によるマチ部を設けた。このマチ部によって裏打ち収納部と貴重品等の収納部は、ラインファスナを全開しても蓋材が垂れ下がったり、９０度に開いたりすることがなく、従って開いた後のラインファスナの閉じ操作を円滑に行うことができる。また、前記マチ部は、蓋材の開放時に収納部の底部近傍から収容物品が脱落するのを防ぐ。
【考案の効果】
【００１７】
本考案は、収容する物品の出し入れや保管に適した構造を具備した収納部を有するゴルフバッグを提供することができる。
【図面の簡単な説明】
【００１８】
【図１】本考案ゴルフバッグの一例の一部を断面にした左側面図。
【図２】図１のゴルフバッグの縦断左側面図。
【図３】本考案による改良を適用する公知ゴルフバッグの左側面図。
【考案を実施するための形態】
【００１９】
次に、図を参照して本考案ゴルフバッグの実施の形態について説明するが、ここではその説明に先立ち本考案を適用する公知ゴルフバッグについて図３により説明する。
図３は、公知ゴルフバッグの左側面図である。図３において、１はゴルフバッグにおけるクラブ収納部の本体となる合成樹脂製の硬質の筒体、２は該筒体１の下端部に設けた前記筒体１と同材質の底である。
【００２０】
図３のゴルフバッグも含み従来のゴルフバッグでは、前記底２を含む筒体１の外面や上部開口部などを、レザーシート材や織布、或は天然皮革等の外装材６で覆うと共に、前記筒体１の右側（図３の右側）に、ハンドル３やショルダーベルトＳＢの両端部（上、下端部）を留める留め環４ａ、４ｂが取り付けられている。
【００２１】
図３のゴルフバッグにおいて、５は、ハンドル３の下端部３ｂを結合支持するため、筒体１の正面側上部に設けた側面視略山形状、又は小径アーチ状をなすハンドル用フレームである。ハンドル用フレーム５はその上，下端部５ａ，５ｂが筒体１の上部にカシメ等により固定され、その山形状、又は小径アーチ状の下位の下り勾配側に、ハンドル３の下端部３ｂが鋲止等によって固定結合されている。ここで、ハンドル用フレーム５は、筒体１の表面から略山形状に突出しているから、この突出形状によって当該筒体１の正面側における外装材６を膨出させ、この外装材６に収納部用の膨らんだ空間を形成させる作用をする。
【００２２】
図３のゴルフバッグにおいて、７は、ショルダーベルトＳＢの下端部を留める留め環４ｂを先端部７ａに結合保持した留め環支持ベルトで、該支持ベルト７の下端部５ｂは筒体１の外面に鋲止等により固定されている。この支持ベルト５も準硬質系の材料であるから、筒体１の正面側の膨出態様の外装材６を膨らませその形態を保持する作用がある。
【００２３】
上記ハンドル用フレーム５と留め環用支持ベルト７によって、ハンドル３を握ってゴルフバッグを手で提げても、或は、ショルダーベルトＳＢを肩にかけてゴルフバッグを肩に担いでも、そのときのゴルフバッグのクラブや着替え等の全収容物品による全荷重は、すべて前記ハンドル用フレーム５、又は前記支持ベルト７を介して筒体１に伝わるから、外装材６（共布）に前記の全荷重は全くかからない。
【００２４】
上記ハンドル用フレーム５と留め環用支持ベルト７によって、筒体１の正面側に膨出態様で配置されている外装材６に対し、ハンドル３の下端部３ｂと下位の留め環４ｂの間に、眼鏡や携帯電話等の小型物品を収納，保管するのに適した小形物品用の収納部８が内部に布材やビニル等の柔軟な壁材を使って形成されている。
【００２５】
小形物品用の収納部８は、前記ハンドル３のほぼ直下に設け、かつ、出し入れ口になる開口部を略逆Ｕ字状の蓋材８ａで形成し、蓋材８ａの縁（開口部）に沿ってスライダ８ｃを有するラインファスナ８ｂを付けたから、ゴルフバッグを立てた状態において前記出し入れ口が水平な向きで全面開口でき、眼鏡等の出し入れを行い易いが、改良すべき点もある。
【００２６】
また前記ゴルフバッグでは、筒体１の正面側の上下方向に外装材６で形成される空間Ｓ１において筒体１の上部から前記収納部８を挟む位置に断熱性の収納部９が形成されている。この収納部９は、内張り材（布）が断熱シート材９ａで形成されているので保冷又は保温作用があり、特に、夏場のプレイにおいて、凍結させたペットボトル飲料を収容しておけば、長時間に亘って冷えた飲料を補給できるから便利であり、熱中症予防などの健康面においても有用である。なお９ｂはこの収納部９の開閉をするためのラインファスナ、９ｃはそのスライダである。
【００２７】
図３のゴルフバッグにおいては、筒体１の正面側における空間Ｓ１の下位に財布等の貴重品の保管に適した貴重品等の収納部１０が形成されている。この収納部１０は、開口部を略逆Ｕ字状に形成し、その開口部に設けた略逆Ｕ字状の蓋材１０ａに開閉用のラインファスナ１０ｂを設け、ラインファスナ１０ｂをそのスライダ１０ｃによって全部開けると、前記蓋材１０ａが前方へ倒れて全面開口できるようになっている。
【００２８】
以上に説明した図３のゴルフバッグが本考案が改良の対象とする従来のゴルフバッグである。本考案は上記ゴルフバッグの改良に係るものであるから、その改良点について図１、図２に示した本考案ゴルフバッグＧＢの一例を参照して説明する。なお、図１、図２の本考案ゴルフバッグＧＢにおいて、図３のゴルフバッグと同一部材、同一部位は同一符号で示し説明は省略する。
【００２９】
本考案ゴルフバッグＧＢは、図３のゴルフバッグに対して、（１）収納部の数を増加したこと、（２）増加した収納部１１に水抜き、土落し構造を持たせたこと、（３）小型物品の収納部８における物品出し入れ性向上のための構造を付加して裏打ち収納部に形成したこと、（４）貴重品等の収納部１０に安全構造を付加したこと等を主な改良点としている。
【００３０】
本考案において増加した収納部１１は、前記小型物品用の収納部８の左右両側に設けられている収納部９の夫々の外側に上下方向に沿って長く形成した左右の大型収納部である。この収納部１１は、底部１１ａが水抜き作用や土落し作用をするメッシュ地で形成されている。また収納部１１は大型であるから雨合羽や防寒具等の嵩張る物品の収納に適しており、またメッシュ地の底部１１ａであるから、濡れたままや土が付着したままの衣類等を収納しても、付着している水や土がメッシュ地の底部１１ａから抜けて排出されるから収納部内に溜まらない。
【００３１】
次に、本考案では、小型物品の収納部８に対して、この収納部８の奥壁８ｄの裏面に硬質の裏打ちシート８ｅを縫着して奥壁８ｄと裏打ちシート８ｅを一体化した裏打ち収納部８に形成した。奥壁８ｄを裏打ちシート８ｅと一体化したことにより、重量のある携帯電話等の物品を収納してもこの裏打ち収納部８の内部の形が崩れないため、収容する物品の出し入れが行いやすくなる。因みに、従来の収納部８はその内部が柔軟な布材等で形成されているため、収納物の重みで収納部８の内部が入口から深く沈み込み物品の出し入れに支障が生じていた。
【００３２】
本考案では、ゴルフバッグＧＢの正面下部に設けた貴重品等の収納部１０における蓋材１０ａの前面に、この前面の略全域を覆う上下スイング式に開閉されるフラップ１２を設け、収納部１０のラインファスナ１０ｂのスライダ１０ｃを前記フラップ１２でカバーし、スライダ１０ｃを外部に露出させないようにした。フラップ１２はファスナ１３ａで開閉される前ポケット１３を備えている。１４はフラップ１２の裏面と収納部１０の前面の間に設けた磁石式スナップボタンである。本考案ではフラップ１２によって蓋材１０ａのラインファスナ１０ｂのスライダ１０ｃを隠したので、この収納部１０は財布等の貴重品の収納部として好適である。
【００３３】
本考案では、開口したとき手前側に倒れる略逆Ｕ字状の蓋材８ａ，１０ａを有する前記の収納部８，１０について、前記蓋材８ａ，１０ａと開口部の境界の下半側に、蓋材８ａ，１０ａの開き度を規制するマチ部ｍをメッシュ地で設けたから、収容物品が出し入れ時に開口部８，１０の脇から洩れ落ちたりせず、またラインファスナ８ｂ，１０ｂのスライダ８ｃ，１０ｃも操作しやすい。
【００３４】
本考案ゴルフバッグは以上の通りであって、大型の収納部を増設し、その底部を水抜きや土落しができるメッシュ地で形成したから、雨合羽や防寒着等の大型物品の収容が楽になり、また底部から水抜きや土落しが出来るからゴルフバッグが汚れにくくなる。また小型物品用の収納部は、その奥壁を裏打ち材と一体化して補強した裏打ち収納部としたから、収容物の重量で収納部が変形せず物品の出し入れを円滑に行える。さらに下部の貴重品等の収納部における蓋材のラインファスナのスライダをフラップで覆って露出させないようにしたから防盗性が向上する等、ゴルフバッグの使い勝手や利便性を従来品に比して更に一段と高めることが出来る。
【符号の説明】
【００３５】
ＧＢ  本考案ゴルフバッグ
１  硬質の筒体
２  底
３  ハンドル
４ａ，４ｂ  ショルダーベルトＳＢの留め環
５  ハンドル用フレーム
６  外装材
７  留め環用支持ベルト
８  小型物品用の収納部（裏打ち収納部）
９  断熱性の収納部
１０  貴重品等の収納部
１１  増設した収納部
１２  フラップ
１３  前ポケット
１４  磁石式スナップボタン
Ｓ１，Ｓ２  収納部となる空間
【図１】
0003220905.tif 000003
【図２】
0003220905.tif 000004
【図３】
0003220905.tif 000005